(57)【特許請求の範囲】
【請求項１】
ブームスプレーヤーにおいて、左右方向に延出する噴口の全長を、側面視「ハ」字状に配置する前部カバーと後部カバーとにより成る飛散防止カバーによって被装し、該前部カバーと後部カバーとの内周面に枢支板を固設し、前後の枢支板を噴口の上方で、ステーに枢支した状態で固定し、前記前部カバーと後部カバーとによって、噴口の前上方と後上方とを被装し、前部カバーの上端部と後部カバーの上端部との間に、下方に向かう風を導入する空間を形成する構成において、
前記前部カバーと後部カバーの枢支板に長孔を開口し、各々の長孔を前記ステーの側面で重ね合わせて交点にネジ部を挿入し、該ステーとネジ部とで両枢支板を螺着し、該ネジ部を緩め、該長孔に沿わせて枢支板を移動させることにより、前部カバー上端部と後部カバー上端部との間の間隔を変更し、更に、前記ネジ部を中心として該枢支板を回動させることにより、前部カバーと後部カバーの傾斜角度を変更可能としたことを特徴とするブームスプレーヤーの飛散防止カバー。
【発明の詳細な説明】
【０００１】
【発明の属する技術分野】
本発明は、ブームスプレーヤーの噴口より噴霧する薬液の飛散を防止する構成に関する。
【０００２】
【従来の技術】
従来、作業車に薬液タンクや、動力噴霧部、薬液を噴霧するブームスプレーヤーを搭載した防除作業車は公知となっている。前記ブームスプレーヤーの噴霧部は、作業車の車幅に略等しい長さの直線型多頭口より成る固定噴口と、該固定噴口の左右端部に回動自在に配した直線型多頭口である側部噴口より構成されている。
【０００３】
【発明が解決しようとする課題】
しかし、従来のブームスプレーヤーの噴霧部の各固定噴口、側部噴口の複数の口より薬液を噴霧した場合に、風によって薬液が飛散し、噴霧対象物に確実に散布することができない場合があり、作業者にまで薬剤が飛散したり、噴霧対象物以外の場所にまで飛散することがあり、薬害を生じるばかりでなく、無駄な散布をすることになっていた。
【０００４】
【課題を解決するための手段】
本発明の解決しようとする課題は以上の如くであり、次に該課題を解決するための手段を説明する。
ブームスプレーヤーにおいて、左右方向に延出する噴口の全長を、側面視「ハ」字状に配置する前部カバーと後部カバーとにより成る飛散防止カバーによって被装し、該前部カバーと後部カバーとの内周面に枢支板を固設し、前後の枢支板を噴口の上方で、ステーに枢支した状態で固定し、前記前部カバーと後部カバーとによって、噴口の前上方と後上方とを被装し、前部カバーの上端部と後部カバーの上端部との間に、下方に向かう風を導入する空間を形成する構成において、前記前部カバーと後部カバーの枢支板に長孔を開口し、各々の長孔を前記ステーの側面で重ね合わせて交点にネジ部を挿入し、該ステーとネジ部とで両枢支板を螺着し、該ネジ部を緩め、該長孔に沿わせて枢支板を移動させることにより、前部カバー上端部と後部カバー上端部との間の間隔を変更し、更に、前記ネジ部を中心として該枢支板を回動させることにより、前部カバーと後部カバーの傾斜角度を変更可能としたものである。
【０００５】
【発明の実施の形態】
次に、本発明の実施の形態を説明する。
図１はブームスプレーヤーに本発明の飛散防止カバーを取り付けた状態の斜視図、図２は同じく側面図、図３は側部噴口に取り付けた飛散防止カバーの側面図、図４は中央噴口に取り付けた飛散防止カバーの側面図である。
【０００６】
まず、薬剤散布用の噴霧部５０を搭載した小型の乗用作業車を図１、図２により説明する。
乗用作業車２の車体フレーム１前部に、フロントアクスルケースを介して左右一対の前車輪３・３が取付けられ、後部にはリアアクスルケースを介して左右一対の後車輪５・５が取付けられている。また、車体フレーム１中央部には運転部６を配置し、該運転部６の後方にエンジンやマフラーなどが配設され、該車体フレーム１の後端にステー１０を取付け、該ステー１０に薬剤タンク１１を載置し、薬液タンク１１の外周部を帯体１４・１４によって固定している。
【０００７】
前記車体フレーム１は、前後方向に伸延する左右一対のメインフレーム２０・２０と、該メインフレーム２０・２０の前端部と後端部との間に架設した、略Ｕ字状に形成したサブフレーム２１とにより構成している。
【０００８】
前記サブフレーム２１は、パイプ状のフレームであり、前後車輪３・３・５・５の直上方位置に配置し、車体カバーの外周部を兼用させ、軽量であり剛性の高い構成としている。
【０００９】
また、前記運転部６は、メインフレーム２０・２０の前端部にハンドルコラム３１を立設し、該ハンドルコラム３１の上端にハンドル３２を配設し、該ハンドル３２の後方に座席３６を配設している。そして、該座席３６の後方位置に正面視門型に形成されたガード２２が立設されている。
【００１０】
そして、前記メインフレーム２０の前部にブームスプレーヤー載置用のフレーム４０を固設している。該フレーム４０上にサブエンジン４１と該サブエンジン４１より動力を得て駆動する動力噴霧機４２とを載置している。該動力噴霧機４２と前記薬剤タンク１１とが薬液搬送ホース１２と薬液戻し用のホース１３とを介して連通されている。ブームスプレーヤー載置用の前記フレーム４０の後部に、支持フレーム４３を立設し、フレーム４０の前部中央部に支持パイプ４４を立設している。
【００１１】
前記支持フレーム４３は上方に突設され、該支持フレーム４３上部を前記ハンドル３２の前方に位置し、支持フレーム４３上端部に薬液搬送切換弁４５を載置している。該薬液搬送切換弁４５の一側部に薬液ホース４６の一端が接続され、該薬液ホース４６の他端を動力噴霧機４２の薬液の吐出口に接続している。薬液搬送切換弁４５の上部には複数のコック（本実施例においては３本）が形成され、各コックに薬液ホース４９・４９・４９が接続され、各薬液ホース４９・４９・４９の他端を後述する噴口に接続している。そして、前記座席３６に搭乗するオペレータによって薬液搬送切換弁４５のコックを操作して、薬液ホース４９・４９・４９内へ薬液の圧送したり、停止したり切り換え操作が行われる。
【００１２】
前記フレーム４０の前部中央部に立設した支持パイプ４４には、上下に摺動自在に摺動パイプ４７を嵌合し、該摺動パイプ４７前面に噴霧部５０の中央部を固設し、摺動パイプ４７を上下適所位置に固定して、噴霧部５０の高さを調整できるようにしている。
【００１３】
前記噴霧部５０は、図２に示すように、中央フレーム５１と側部フレーム５２と、各フレーム５１・５２・５２に取付けられる直線型多頭口の中央噴口５３と側部噴口５４・５４より構成されている。
【００１４】
前記中央フレーム５１を側面視四角形状に形成し、中央フレーム５１前面に沿って中央噴口５３を取付け、該中央噴口５３の左右一側に前述した薬液ホース４９を接続し、中央噴口５３に薬液が圧送される。また、前記側部フレーム５２に沿って側部噴口５４が取付けられている。該側部噴口５４の基部側端部に薬液ホース４９を接続し、側部噴口５４に薬液が圧送される。
【００１５】
前記側部フレーム５２の端部は、中央フレーム５１の左右端部上に載置され、上下に軸芯を有する枢軸で枢支し、側部フレーム５２と一体的に側部噴口５４を水平方向に回動可能としている。
【００１６】
そして、図１に示すように、本発明において前記中央噴口５３の上方に飛散防止カバー７０を配設し、側部噴口５４の上方に飛散防止カバー７３を配設している。該飛散防止カバー７０・７３は、図３、図４に示すように、中央フレーム５１（若しくは側部フレーム５２）上部より前上方（各噴口５３・５４上方）に向けて適宜間隔毎にステー７６・７６・・・（若しくはステー７７・７７・・・）を立設している。該ステー７６（７７）の上端部に飛散防止カバー７０・７１を配設している。尚、前記ステー７６・７６・・・（若しくはステー７７・７７・・・）を中央フレーム５１（若しくは側部フレーム５２）上部に立設しているが、噴口５３・５４に立設する構成にすることもできる。
【００１７】
中央部に配した飛散防止カバー７０は、図４に示すように前部カバー７１と後部カバー７２とで、側面視「ハ」字状に形成している。該前部カバー７１と後部カバー７２とは、図１に示すように、中央噴口５３の左右長さに略一致する長さに形成している。前部カバー７１内面上部と後部カバー７２内面上部より各々枢支板７１ａ・７２ａをステー７６上部に向けて突設している。各々の枢支板７１ａ・７２ａには、長孔７１ｂ・７２ｂが開口されている。該長孔７１ｂと長孔７２ｂとをステー７６側面で重ね合わせ、この重ね合わせた交点に蝶ネジ７８のネジ部を挿入し、ステー７６と蝶ネジ７８とで枢支板７１ａ・７２ａを螺着し、前部カバー７１と後部カバー７２とをステー７６に固定している。また、前記後部カバー７２の左右中央部には、溝部７２ｃを形成し、後部カバー７２と前記摺動体４７との干渉を避けるようにしている。
【００１８】
前記飛散防止カバー７０の前部カバー７１と後部カバー７２とによって、中央噴口５３の前上方と後上方とが被装され、前部カバー７１上端部と後部カバー７２上端部との間に、下方に向かう風を導入する空間が形成されている。よって、噴霧された瞬間の薬液に側方より風がかからず、噴霧対象物に薬液を散布できる。
【００１９】
同様に、側部噴口５４上方に配した飛散防止カバー７３は、図３に示すように前部カバー７４と後部カバー７５とで、側面視「ハ」字状に形成している。該前部カバー７４と後部カバー７５とは、図１に示すように、側部噴口５４の左右長さに略一致する長さに形成している。前部カバー７４内面上部と後部カバー７５内面上部より各々枢支板７４ａ・７５ａをステー７６上部に向けて突設している。各々の枢支板７４ａ・７５ａには、長孔７４ｂ・７５ｂが開口されている。該長孔７４ｂと長孔７５ｂとをステー７７側面で重ね合わせ、この重ね合わせた交点を蝶ネジ７８のネジ部を挿入し、ステー７７と蝶ネジ７８とで枢支板７４ａ・７５ａを螺着し、前部カバー７４と後部カバー７５とをステー７７に固定している。
【００２０】
前記飛散防止カバー７３の前部カバー７４と後部カバー７５とによって、側部噴口５４の前上方と後上方とが被装され、前部カバー７４上端部と後部カバー７５上端部との間に、下方に向かう風を導入する空間が形成されている。よって、噴霧された瞬間の薬液に側方より風がかからず、噴霧対象物に薬液を散布できる。
【００２１】
また、前記蝶ネジ７８を緩め、蝶ネジ７８に長孔７１ｂ・７２ｂ（若しくは７４ｂ・７５ｂ）を沿わして枢支板７１ａ・７２ａ（若しくは７４ａ・７５ａ）を移動させることで、前部カバー７１（７４）上端部と後部カバー７２（７５）上端部との間の間隔を変更し、上方から導入する風の量を調整している。更に、前記蝶ネジ７８を中心として枢支板７１ａ・７２ａ（若しくは７４ａ・７５ａ）を回動させることで、前部カバー７１と後部カバー７２との傾斜角度（前部カバー７４と後部カバー７５との傾斜角度）が変更され、前部カバー７１（７４）上端部と後部カバー７２（７５）上端部との間の間隔を変更し、上方から導入する風の量を調整するとともに、上部側より導入した風を前部カバー７１と後部カバー７２との間で下方に向けて流れる風の広がりが調整され、薬液の噴霧幅を広げたり狭めたりすることができる。但し、前部カバー７１（７４）と後部カバー７２（７５）はＶ字状として両者の間を枢支する構成とすることもできる。また、噴口５３・５４の周囲のみ配置することも可能である。
【００２２】
【発明の効果】
本発明は以上の如く構成したので、次のような効果を奏するのである。
ブームスプレーヤーにおいて、左右方向に延出する噴口の全長を、側面視「ハ」字状に配置する前部カバーと後部カバーとにより成る飛散防止カバーによって被装し、該前記前部カバーと後部カバーとの内周面に枢支板を固設し、前後の枢支板を噴口の上方で、ステーに枢支した状態で固定し、前記前部カバーと後部カバーとによって、噴口の前上方と後上方とを被装し、前部カバーの上端部と後部カバーの上端部との間に、下方に向かう風を導入する空間を形成したので、直接に噴口及び噴口から噴霧された瞬間の噴流に風が当たることがなく、薬液が飛散されることがなく、噴霧対象物に確実に薬液を散布することができる。
また、前記飛散防止カバー７３の前部カバー７４と後部カバー７５とによって、側部噴口５４の前上方と後上方とが被装され、前部カバー７４上端部と後部カバー７５上端部との間に、下方に向かう風を導入する空間が形成されているので、噴霧された瞬間の薬液に側方より風がかからず、噴霧対象物に薬液を散布できる。
【００２３】
また、前記前部カバーと後部カバーの枢支板に長孔を開口し、各々の長孔を前記ステーの側面で重ね合わせて交点にネジ部を挿入し、該ステーとネジ部とで両枢支板を螺着し、該ネジ部を緩め、該長孔に沿わせて枢支板を移動させることにより、前部カバー上端部と後部カバー上端部との間の間隔を変更し、更に、前記ネジ部を中心として該枢支板を回動させることにより、前部カバーと後部カバーの傾斜角度を変更可能としたので、前部カバーと後部カバー上端部との間隔を調整でき、両者の間より導入する風の量を調整するとともに、噴口から吐出される噴流の広がり角度を調整することができ、噴霧対象物に薬液を散布する量を調整することができる。
更に、前記噴口の薬液を噴霧する全ての口を同一のカバーによって被装しているので、一つのカバーの傾斜角度を変更することによって全ての口より吐出される噴流の広がりを統一することができ、例えば各ノズルに飛散防止用のカバーを配設する構成に比べて、調整作業が容易となる。
【図面の簡単な説明】
【図１】  ブームスプレーヤーに本発明の飛散防止カバーを取り付けた状態の斜視図である。
【図２】  同じく側面図である。
【図３】  側部噴口に取り付けた飛散防止カバーの側面図である。
【図４】  中央噴口に取り付けた飛散防止カバーの側面図である。
【符号の説明】
２  乗用作業車
６  運転部
５０  中央噴口
５４  側部噴口
７０・７３  飛散防止カバー
７１・７４  前部カバー
７２・７５  後部カバー
７１ａ・７２ａ・７４ａ・７５ａ  枢支板
【図１】
0003836961.tif 000002
【図２】
0003836961.tif 000003
【図３】
0003836961.tif 000004
【図４】
0003836961.tif 000005